(57)【特許請求の範囲】
【請求項１】
第１ラインから第ｎラインまでのディジタル輝度信号と、ライン間内挿処理で作成した第１ラインから第ｎライン（ｎは２以上の整数）までのディジタル色差信号とに基づいて、表示ライン数がｎ個の画像を表示するための第１ラインから第ｎラインまでのディジタルＲ、Ｇ、Ｂ信号を作成する映像信号処理方法において、前記ｎ個のラインのディジタル色差信号のうちの映像信号成分のみを含むラインに対応した第１ラインから第（ｎ−１）ラインまでのディジタルＲ、Ｇ、Ｂ信号を、同一ラインのディジタル輝度信号とディジタル色差信号とに基づいて作成し、前記ｎ個のラインのディジタル色差信号のうちの映像信号成分以外を含むラインに対応した第ｎラインのディジタルＲ、Ｇ、Ｂ信号を、第ｎラインのディジタル輝度信号と第（ｎ−１）ラインのディジタル色差信号とに基づいて作成してなることを特徴とする映像信号処理方法。
【発明の詳細な説明】
【０００１】
【産業上の利用分野】
本発明は、第１ラインから第ｎラインまでのディジタル輝度信号（例えば、Ｙ信号）と、ライン間内挿処理で作成した第１ラインから第ｎラインまでのディジタル色差信号（例えば、Ｒ−Ｙ信号、Ｂ−Ｙ信号）とに基づいて、表示ライン数ｎの画像を表示するための第１ラインから第ｎラインまでのディジタルＲ、Ｇ、Ｂ信号を作成するようにした映像信号処理方法に関するものである。
【０００２】
【従来の技術】
従来、この種の映像信号処理方法は、図３及び図４に示すような第１の方法、または図３及び図５に示すような第２の方法で行われていた。すなわち、第１の方法では、まず図３に示すように、ライン間内挿処理によって第１ラインから第ｎラインまでのディジタル色差信号を作成する。例えば、ＭＵＳＥ（Ｍｕｌｔｉｐｌｅ  Ｓｕｂ−Ｎｙｑｕｉｓｔ  Ｓａｍｐｌｉｎｇ  Ｅｎｃｏｄｉｎｇ）デコーダ内のＴＣＩ（Ｔｉｍｅ  Ｃｏｍｐｒｅｓｓｅｄ  Ｉｎｔｅｇｒａｔｉｏｎ）デコーダで線順次のＲ−Ｙ信号、Ｂ−Ｙ信号からＹ信号とタイミングの合ったＲ−Ｙ信号、Ｂ−Ｙ信号を作成する場合のように、ディジタル色差信号を作成する。
【０００３】
このとき、ライン間内挿で得られた第ｎラインの色差信号は、第ｎラインの色差信号と第（ｎ＋１）ラインの信号（ディジタル映像信号以外の成分を含む信号、ハッチング表示）から作成されるので、ディジタル映像信号以外の成分が含まれている（ハッチング表示）。なお、ディジタル映像信号とは、ディジタル輝度信号とディジタル色差信号からなる信号をいう。また、図３においてＳ、…は画素を表わす。
【０００４】
ついで、このライン間内挿処理で作成した第１ラインから第ｎラインまでのディジタル色差信号と、第１ラインから第ｎラインまでのディジタル輝度信号とに基づいて、対応したライン毎の信号処理による第１ラインから第ｎラインまでのディジタルＲ、Ｇ、Ｂ信号を作成し、このＲ、Ｇ、Ｂ信号をプラズマディスプレイパネルのようなディジタル駆動表示装置に入力して、図４に示すような表示ライン数ｎの画像（第１ラインから第ｎラインまでの全てのラインを表示する画像）を表示するようにしていた。
【０００５】
また、第２の方法では、図３のライン間内挿処理で作成した第１ラインから第ｎラインまでのディジタル色差信号のうちの第１ラインから第（ｎ−１）ラインまでのディジタル色差信号と、第１ラインから第（ｎ−１）ラインまでのディジタル輝度信号とに基づいて、対応したライン毎の信号処理による第１ラインから第（ｎ−１）ラインまでのディジタルＲ、Ｇ、Ｂ信号を作成し、このＲ、Ｇ、Ｂ信号をディジタル駆動表示装置に入力して、図５に示すような表示ライン数（ｎ−１）の画像（第１ラインから第（ｎ−１）ラインまでのラインだけを表示する画像）を表示するようにしていた。
【０００６】
【発明が解決しようとする課題】
しかしながら、上述した従来の第１の方法では、映像信号以外の成分を含んだ第ｎラインの色差信号を用いて作成した第ｎラインのＲ、Ｇ、Ｂ信号を表示していたので、表示画像のうちの第ｎラインの映像に違和感を感じるという問題点があった。また、上述した従来の第２の方法では、映像信号以外の成分を含んだ第ｎラインのＲ、Ｇ、Ｂ信号を表示しないので第１の方法のような問題点はないが、第ｎラインを表示しないため１ライン分の映像が欠けてしまうという問題点があった。
【０００７】
本発明は上述の問題点に鑑みなされたもので、ディジタル輝度信号とディジタル色差信号とに基づいて作成したディジタルＲ、Ｇ、Ｂ信号をディジタル駆動表示装置（例えばプラズマディスプレイパネル）に入力して対応した画像を表示した場合に、表示ライン数を減少させることなく、しかも表示画像に違和感を感じさせることのないディジタルＲ、Ｇ、Ｂ信号を作成することのできる映像信号処理方法を提供することを目的とするものである。
【０００８】
【課題を解決するための手段】
請求項１に係る発明は、第１ライン（第１番目のライン）から第ｎライン（第ｎ番目のライン）（ｎは２以上の整数）までのディジタル輝度信号と、ライン間内挿処理で作成した第１ラインから第ｎラインまでのディジタル色差信号とに基づいて、表示ライン数がｎ個の画像を表示するための第１ラインから第ｎラインまでのディジタルＲ、Ｇ、Ｂ信号を作成する映像信号処理方法において、前記ｎ個のラインのディジタル色差信号のうちの映像信号成分のみを含むラインに対応した第１ラインから第（ｎ−１）ラインまでのディジタルＲ、Ｇ、Ｂ信号を、同一ラインのディジタル輝度信号とディジタル色差信号とに基づいて作成し、前記ｎ個のラインのディジタル色差信号のうちの映像信号成分以外を含むラインに対応した第ｎラインのディジタルＲ、Ｇ、Ｂ信号を、第ｎラインのディジタル輝度信号と第（ｎ−１）ラインのディジタル色差信号とに基づいて作成してなることを特徴とするものである。
【００１０】
【作用】
請求項１の発明では、ライン間内挿処理で作成した第１ラインから第ｎラインまでのディジタル色差信号のうちの映像信号成分のみを含むラインに対応した第１ラインから第（ｎ−１）ラインまでのディジタルＲ、Ｇ、Ｂ信号は、第１ラインから第（ｎ−１）ラインまでの輝度信号と第１ラインから第（ｎ−１）ラインまでのディジタル色差信号とに基づいて作成され、映像信号成分以外を含むラインに対応した第ｎラインのディジタルＲ、Ｇ、Ｂ信号は、第ｎラインのディジタル輝度信号と第（ｎ−１）ラインのディジタル色差信号とに基づいて作成される。一般に、輝度信号に比べて色差信号の信号帯域幅が狭い（例えば、ＭＵＳＥ方式の場合は、前者が２０ＭＨｚ、後者が７ＭＨｚ）ので、第ｎラインのディジタル色差信号を第（ｎ−１）ラインのディジタル色差信号で代替しても表示画像に違和感が生じにくい。
【００１２】
【実施例】
以下、本発明による映像信号処理方法の一実施例を図１から図３までを用いて説明する。
図１は本発明方法を実施する装置のブロック図の概略構成を示すものである。図１において、１０はディジタル輝度信号としてのＹ信号の入力端子、１２、１４はディジタル色差信号としてのＲ−Ｙ信号、Ｂ−Ｙ信号の入力端子、１６は制御信号の入力端子である。
【００１３】
前記Ｙ信号の入力端子１０はＲＧＢ変換回路（例えば、逆マトリックス回路）１８の入力側に結合し、前記Ｒ−Ｙ信号、Ｂ−Ｙ信号の入力端子１２、１４はラインコントロール回路２０を介して前記ＲＧＢ変換回路１８の入力側に結合している。前記ラインコントロール回路２０は、内蔵するメモリに第（ｎ−１）ライン目のＲ−Ｙ信号、Ｂ−Ｙ信号を記録し、この第（ｎ−１）ライン目のＲ−Ｙ信号、Ｂ−Ｙ信号を第ｎライン目のディジタル色差信号を出力するタイミングで出力するように構成されている。
【００１４】
前記ＲＧＢ変換回路１８の出力側にはディジタル駆動表示装置としてのプラズマディスプレイパネル２２が結合し、このプラズマディスプレイパネル２２の入力側には前記制御信号の入力端子１６が結合している。前記ＲＧＢ変換回路１８は、入力したＹ信号、Ｒ−Ｙ信号、Ｂ−Ｙ信号からディジタルＲ、Ｇ、Ｂ信号を作成（再生）して出力するように構成されている。
【００１５】
つぎに、図１の装置を用いて本発明方法を実施した例を、図２及び図３を併用して説明する。
（イ）入力端子１０には、従来例と同様に第１ラインから第ｎラインまでのＹ信号が入力する。このＹ信号は、例えば、ＭＵＳＥデコーダ内等でフレーム間内挿処理、フィールド間内捜処理されたディジタル輝度信号である。入力端子１２、１４には、従来例と同様に、図３に示すような、ライン間内挿処理によって作成した第１ラインから第ｎラインまでのＲ−Ｙ信号、Ｂ−Ｙ信号が入力する。このＲ−Ｙ信号、Ｂ−Ｙ信号は、例えば、ＭＵＳＥデコーダ内等でフレーム間内挿処理、フィールド間内捜処理された後、ＴＣＩデコーダで線順次のＲ−Ｙ信号、Ｂ−Ｙ信号から作成された、Ｙ信号とタイミングの合ったＲ−Ｙ信号、Ｂ−Ｙ信号である。
【００１６】
（ロ）ＲＧＢ変換回路１８は、入力端子１０に入力した第１ラインから第（ｎ−１）ラインまでのＹ信号と入力端子１２、１４に入力した第１ラインから第（ｎ−１）ラインまでのＲ−Ｙ信号、Ｂ−Ｙ信号とに基づいて、対応したライン毎の信号処理による第１ラインから第（ｎ−１）ラインまでのＲ、Ｇ、Ｂ信号を作成してプラズマディスプレイパネルに出力する。
【００１７】
さらに、ＲＧＢ変換回路１８は、入力端子１２、１４に入力しラインコントロール回路２０内のメモリに記録された第（ｎ−１）ライン目のＲ−Ｙ信号、Ｂ−Ｙ信号であって、第ｎライン目のタイミングで出力する信号と、入力端子１０に入力した第ｎラインのＹ信号とに基づいて、第ｎライン目のＲ、Ｇ、Ｂ信号を作成してプラズマディスプレイパネル２２に出力する。
このため、プラズマディスプレイパネル２２は、図２に示すように、第１ラインから第ｎラインまでのＲ、Ｇ、Ｂ信号に対応した表示ライン数ｎの画像を表示する。
【００１８】
前記実施例では、ライン間内挿処理で作成したｎラインのディジタル色差信号のうちの映像信号成分以外を含むラインは第ｎラインのみとし、第１ラインから第（ｎ−１）ラインまでのディジタルＲ、Ｇ、Ｂ信号を、同一ラインのディジタル輝度信号とディジタル色差信号とに基づいて作成し、第ｎラインのディジタルＲ、Ｇ、Ｂ信号を、第ｎラインのディジタル輝度信号と第（ｎ−１）ラインのディジタル色差信号とに基づいて作成するようにしたが、本発明はこれに限るものではない。
【００１９】
すなわち、ライン間内挿処理で作成したｎラインのディジタル色差信号のうちの映像信号成分のみを含むラインに対応したラインのディジタルＲ、Ｇ、Ｂ信号を、同一ラインのディジタル輝度信号とディジタル色差信号とに基づいて作成し、映像信号成分以外を含むラインに対応したラインのディジタルＲ、Ｇ、Ｂ信号を、対応したラインのディジタル輝度信号と、対応ラインの近傍の映像信号成分のみを含むラインのディジタル色差信号とに基づいて作成するものであればよい。
【００２０】
【発明の効果】
請求項１の発明に係る映像信号処理方法は、ライン間内挿処理で作成した第１ラインから第ｎラインまでのディジタル色差信号のうちの、映像信号成分以外を含むラインに対応した第ｎラインのディジタルＲ、Ｇ、Ｂ信号を、第ｎラインのディジタル輝度信号と第（ｎ−１）ラインのディジタル色差信号とに基づいて作成するようにした。一般に、輝度信号に比べて色差信号の信号帯域幅が狭い（例えば、ＭＵＳＥ方式の場合は、前者が２０ＭＨｚ、後者が７ＭＨｚ）ので、第（ｎ−１）ラインのディジタル色差信号で代替しても表示画像に違和感が生じにくい。従って、このようなディジタルＲ、Ｇ、Ｂ信号をディジタル駆動表示装置（例えばプラズマディスプレイパネル）に入力して対応した画像を表示した場合に、表示ライン数を減少させることがないとともに、表示画像に違和感を感じさせることがないようにすることができる。
【図面の簡単な説明】
【図１】本発明による映像信号処理方法を実施する装置の要部概略構成図である。
【図２】図１のプラズマディスプレイパネルにおける表示画像の説明図である。
【図３】ライン間内挿処理で第１ラインから第ｎラインまでのディジタル色差信号を作成する説明図である。
【図４】従来の第１方法を用いた場合のプラズマディスプレイパネルにおける表示画像の説明図である。
【図５】従来の第２方法を用いた場合のプラズマディスプレイパネルにおける表示画像の説明図である。
【符号の説明】
１０…Ｙ信号（ディジタル輝度信号の一例）の入力端子、
１２…Ｒ−Ｙ信号（ディジタル色差信号の一例）の入力端子、
１４…Ｂ−Ｙ信号（ディジタル色差信号の一例）の入力端子、
１６…制御信号の入力端子、  １８…ＲＧＢ変換回路、
２０…ラインコントロール回路、
２２…プラズマディスプレイパネル、  Ｓ…画素。
【図１】
0003612760.tif 000002
【図２】
0003612760.tif 000003
【図３】
0003612760.tif 000004
【図４】
0003612760.tif 000005
【図５】
0003612760.tif 000006